(57)【要約】【課題】破壊に対する防御性能が高く、しかも小型、低コスト化が可能なポップアウト型扉用ロックハンドル装置を提供する。【解決手段】ロックハンドル装置は、ハンドルケース２、内筒５、錠止部材６、ハンドル軸７、ばね部材８、施錠機構９、錠前ユニット１０を具備する。硬質材からなるハンドル板１２が、ハンドル軸７の前端に固着される。ハンドル板１２は、錠前ユニット１０の前端部を露出させる開口１２ａを有し、ハンドル軸７が後方位置にあるときハンドルケース２の鍔部４の前面を覆う。扉の前面側へ露出する部分が全て硬質材からなるハンドル板１２により覆われるので、破壊に対する防御性能が高く、しかも扉１の前面側へ大きく露出する従来のハンドルが省略され、またこの大きなハンドルを受けるハンドルケースの鍔部４も縮小され、小型化による低コスト化が可能となる。【選択図】図１
2014227672.tif 000002
【特許請求の範囲】
【請求項１】
前後方向に延びる軸筒部と、この軸筒部の前端部に設けられる鍔部とを具備し、鍔部を筐体の扉の前面に当接させて当該扉に固着されるハンドルケースと、
前記ハンドルケースの軸筒部内に回転可能かつ前後に移動不能に嵌挿される内筒と、
前記内筒の後端部に連結され、扉を筐体に対して錠止する施錠位置と解放する解錠位置との間で内筒と一体に正逆回転する錠止部材と、
前記内筒に回転不能に嵌挿され、前記ハンドルケース内に没する後方位置とハンドルケースから突出する前方位置との間で前後に摺動自在で、前方位置において前記内筒と一体に施錠位置と解錠位置との間を回転操作可能な概略円筒状のハンドル軸と、
前記内筒と前記ハンドル軸との間に挿入され、前記ハンドル軸を前方に付勢するばね部材と、
前記ハンドル軸の後部に設けられ、後方位置にあるハンドル軸を前記内筒に対して拘束し、又は解放する施錠機構と、
前記ハンドル軸の前部に組み込み固定され、キー操作によるロータの回転によって前記施錠機構を拘束又は解放動作させるように直接又は間接的に駆動する錠前ユニットと、
前記ハンドル軸の前端に固着され、前記錠前ユニットの前端部を露出させる開口を有し、ハンドル軸が後方位置にあるとき前記ハンドルケースの鍔部の前面を覆う硬質材からなるハンドル板と、を具備することを特徴とするポップアウト型扉用ロックハンドル装置。
【請求項２】
前記ハンドル板は、前記ハンドルケースの鍔部の前面よりわずかに大面積に構成され、前記ハンドル軸が後方位置にあるとき鍔部を嵌合させて鍔部の前面を覆う凹部と、この鍔部の外周を囲む起立縁部とを具備することを特徴とする請求項1に記載のポップアウト型扉用ロックハンドル装置。
【請求項３】
前記ハンドル板は、前記開口の周縁から後方へ突出して前記ハンドル軸の前端側の内周に嵌合する環状突部を具備し、この環状突部において、ハンドル軸に結合されることを特徴とする請求項1又は２に記載のポップアウト型扉用ロックハンドル装置。
【発明の詳細な説明】
【技術分野】
【０００１】
本発明は、自動販売機等の扉に使用され、ハンドル軸に組み込まれた錠前ユニットのロータを正規のキーで所定方向に回すと、ハンドルがハンドルケースから突出し、ハンドルを回す解錠操作が可能となるポップアウト型の扉用ロックハンドル装置に関する。
【背景技術】
【０００２】
ポップアウト型の扉用ロックハンドル装置が特許文献１に記載されている。このロックハンドル装置は、扉に固着されるハンドルケースの軸筒部に内筒を回転可能かつ前後に移動不能に嵌挿し、扉を筐体に対して錠止する錠止部材を前記内筒の後端部に連結し、ハンドル軸を前記内筒に回転不能かつ前後に摺動可能に嵌挿し、前記内筒と前記ハンドル軸間に挿入したバネ部材によってハンドルを前方に移動付勢し、前記ハンドル軸の後部に設けた施錠機構によって前記ハンドル軸を前記内筒に対して拘束し、前記ハンドル軸の前部に錠前ユニットを組み込み固定し、前記錠前ユニットのロータの回転によって前記施錠機構を直接または間接的に駆動して、前記ハンドル軸の移動拘束を解除するように構成し、前記錠前ユニットの頭部を硬質材のガードフードの筒部に嵌合して、前記錠前ユニットを前記ハンドル軸の前部の錠前格納部に嵌合し、前記筒部の前端周縁の外向き鍔部を前記錠前格納部の前端周縁の環状凹部に嵌合し、前記錠前ユニットの前記頭部と主体胴部間にある段差肩面部を前記筒部の後端周縁の内向き鍔部に当接させ、前記主体胴部の外周螺子部に螺合した固定リングを前記ガードフードの内向き鍔部に当接させ、前記ハンドル軸の横断方向の受孔にＵ字形固定金具を嵌挿し、前記固定金具の脚部の制止突起を前記固定リングの外周溝に係合させ、前記固定金具を前記ハンドル軸にビスによって締付け固着し、前記Ｕ字形固定金具の一対の脚部を互いに平行に形成し、前記錠前格納部に一部交差するように一対の受孔を前記ハンドル軸にその直径方向に貫通して形成し、前記Ｕ字形固定金具の前記脚部を前記ハンドル軸の前記受孔その全長にわたって嵌挿したものである。
また上記のような構成において、ガードフードの後端部の内向き鍔部の内周面で形成される開口部の形状を小判型とし、該小判型開口部に前記横断面小判型の主体胴部を嵌合して、前記ガードフードを前記錠前ユニット及び前記ハンドル軸に対して回転不能にするとともに、前記ガードフードの前記外向き鍔部の外周形状と前記ハンドルケースの前記環状凹部の内周形状を縦長の非円形状にしたものが特許文献２に記載されている。このロックハンドル装置は、ガードフードが切削破壊阻止部材としての機能を有し、防犯性能に優れる。
【先行技術文献】
【特許文献】
【０００３】
【特許文献１】特許第２７０４３８７号公報
【特許文献２】特許第４２４０３２０号公報
【発明の概要】
【発明が解決しようとする課題】
【０００４】
特許文献２に記載のロックハンドル装置は、ガードフードが硬質材で構成されるが、筐体の前面側に露出する他の部材は硬質材でないから、なお破壊からの防御に十分とはいえない。また前面側に、ハンドルケースの鍔部、ハンドル、ガードフードの三者が大きく露出する構造であって、小型化によるコスト抑制の要請がある。
したがって、本発明は、破壊に対する防御性能が高く、しかも小型、低コスト化が可能なポップアウト型扉用ロックハンドル装置を提供することを目的としている。
【課題を解決するための手段】
【０００５】
以下、添付図面の符号を参照して説明するが、本発明はこれに限定されるものではない。
上記課題を解決するための、本発明のロックハンドル装置は、ハンドルケース２、内筒５、錠止部材６、ハンドル軸７、ばね部材８、施錠機構９、錠前ユニット１０を具備する。
ハンドルケース２は、前後方向に延びる軸筒部３と、この軸筒部３の前端部に設けられる鍔部４とを具備し、鍔部４を筐体の扉１の前面に当接させて当該扉１に固着される。
内筒５は、ハンドルケース２の軸筒部３内に回転可能かつ前後に移動不能に嵌挿される。
錠止部材６は、内筒５の後端部に連結され、扉１を筐体に対して錠止する施錠位置と、解放する解錠位置との間で内筒５と一体に正逆回転する。
ハンドル軸７は、概略円筒状に構成され、内筒５に回転不能に嵌挿され、ハンドルケース２内に没する後方位置と、ハンドルケース２から突出する前方位置との間で前後に摺動自在であり、前方位置において内筒５と一体に施錠位置と解錠位置との間を回転操作可能である。
ばね部材８は、内筒５とハンドル軸７との間に挿入され、ハンドル軸７を前方に付勢する。
施錠機構９は、ハンドル軸７の後部に設けられ、ハンドル軸７を後方位置で内筒５に対して拘束し、又は解放する。
錠前ユニット１０は、ハンドル軸７の前部に組み込み固定され、キー操作によるロータ１１の回転によって、施錠機構９を拘束又は解放動作させるように、直接又は間接的に駆動する。
硬質材からなるハンドル板１２が、ハンドル軸７の前端に固着される。ハンドル板１２は、錠前ユニット１０の前端部を露出させる開口１２ａを有し、ハンドル軸７が後方位置にあるときハンドルケース２の鍔部４の前面を覆う。
【発明の効果】
【０００６】
本発明のポップアウト型扉用ロックハンドル装置は、扉の前面側へ露出する部分が全て硬質材からなるハンドル板１２により覆われるので、破壊に対する防御性能が高く、しかも扉１の前面側へ大きく露出する従来のハンドルが省略され、またこの大きなハンドルを受けるハンドルケースの鍔部も縮小され、小型化による低コスト化が可能となる。
【図面の簡単な説明】
【０００７】
【図１】本発明に係るポップアウト型扉用ロックハンドル装置の断面図である。
【図２】図１のロックハンドル装置の正面図である。
【図３】図１のロックハンドル装置の背面図である。
【図４】図１のロックハンドル装置のハンドルケースの断面図である。
【図５】図１のロックハンドル装置のハンドルケースの正面図である。
【図６】図１のロックハンドル装置のハンドルケースの背面図である。
【図７】図１のロックハンドル装置の内筒の断面図である。
【図８】図１のロックハンドル装置の内筒の正面図である。
【図９】図１のロックハンドル装置の内筒の背面図である。
【図１０】図１のロックハンドル装置のハンドル軸の断面図である。
【図１１】図１のロックハンドル装置のハンドル軸の正面図である。
【図１２】図１のロックハンドル装置のハンドル軸の背面図である。
【図１３】図１のロックハンドル装置のハンドル板の断面図である。
【図１４】図１のロックハンドル装置のハンドル板の正面図である。
【図１５】図１のロックハンドル装置の固定リングの正面図である。
【図１６】図１のロックハンドル装置の固定金具の正面図である。
【発明を実施するための形態】
【０００８】
図面を参照して本発明の実施の形態を説明する。
図1において、ロックハンドル装置は、ハンドルケース２、内筒５、錠止部材６、ハンドル軸７、ばね部材８、施錠機構９、錠前ユニット１０を具備する。
【０００９】
図１，４，５，６において、ハンドルケース２は、前後方向に延びる軸筒部３と、この軸筒部３の前端部に設けられる鍔部４とを具備し、鍔部４を筐体の扉１の前面に当接させて当該扉１に固着される。
【００１０】
図１，７，８，９において、内筒５は、ハンドルケース２の軸筒部３内に回転可能に嵌挿され、かつ前方のフランジ部５ａと後方の止め板１３とにより、軸筒部３に対して前後に移動不能とされる。内筒５は、前方に開放し、後方は端壁５ｂで閉じられる。
【００１１】
図１において、錠止部材６は、内筒５の後端部に連結され、扉１を筐体に対して錠止する施錠位置と、解放する解錠位置との間で内筒５と一体に正逆回転する。
【００１２】
図１，１０，１１，１２において、ハンドル軸７は、概略円筒状に構成され、内筒５に回転不能に嵌挿され、ハンドルケース２内に没する後方位置と、ハンドルケース２から突出する前方位置との間で前後に摺動自在であり、前方位置において内筒５と一体に施錠位置と解錠位置との間を回転操作可能である。
【００１３】
図１において、ばね部材８は、内筒５の端壁５ｂとハンドル軸７との間に蓋板１４を介して挿入され、ハンドル軸７を内筒５に対して前方に付勢する。
【００１４】
図１において、施錠機構９は、ハンドル軸７内の後部に設けられ、ハンドル軸７が後方位置にあるとき、これを内筒５に対して拘束し、又は解放する。
【００１５】
図１において、錠前ユニット１０は、ハンドル軸７の前部に組み込み固定され、キー操作によるロータ１１の回転によって、施錠機構９を拘束動作又は解放動作させるように、直接又は間接的に駆動する。
【００１６】
図１，１３，１４において、硬質材からなるハンドル板１２が、ハンドル軸７の前端に固着される。ハンドル板１２は、錠前ユニット１０の前端部を露出させる開口１２ａを有する環状突部２ｂを具備する。環状突部１２ｂは、開口１２ａの周縁から後方へ突出してハンドル軸７の前端側の内周に嵌合固定される。ハンドル板１２は、ハンドル軸７が後方位置にあるとき、ハンドルケース２の鍔部４の前面を覆う。すなわち、ハンドル板１２は、ハンドルケース２の鍔部４の前面よりわずかに大面積の相似外形状に構成され、鍔部４が嵌合する凹部１２ｃと、鍔部４の周囲を囲む起立縁部１２ｄとを具備する。ハンドル軸７が後方位置にあるとき、ハンドル板１２の凹部１２ｃに鍔部４が嵌合し、鍔部４の前面がハンドル板１２に覆われる。
【００１７】
図１において、施錠機構９は、錠前ユニット１０のロータ１１からの回転力を受け、施錠動作部を内筒５に対して係合、離脱させる。錠前ユニット１０の胴部には、全長にわたって外周螺子部１０ａが形成され、また相対向する側面部には互いに平行に削除された平面部１０ｂが形成され、胴部の横断面は所謂小判型に形成される。図１０，１１，１２に示すように、ハンドル軸７の中間壁７ａには、小判型開口部７ｂが形成され、これに錠前ユニット１０の胴部後端が嵌合する。したがって、錠前ユニット１０は、ハンドル軸７に対して回転不能である。
【００１８】
図１において、錠前ユニット１０の外周螺子部１０ａには、固定リング１５が螺合され、ハンドル板１２の環状突部１２ｂの後端に当接している。Ｕ字形固定金具１６が、ハンドル軸７の直径方向の受孔に嵌挿され、ビス１７で固着される。固定金具１６の平行な二又の脚部１６ａ（図１６）が、固定リング１５の外周溝１５ａ（図１５）に係合することにより、錠前ユニット１０は、ハンドル軸７に対して前後方向に固定される。脚部１６ａの平行な当接面１６ｂは、錠前ユニット１０の平面部１０ｂに当接しているため、これによっても錠前ユニット１０はハンドル軸７に対して回転不能である。
【００１９】
ハンドル板１２の環状突部１２ｂは、外側突出部１２ｅを有し、これがハンドル軸７の前端部内周に形成された回り止め凹部７ｃに嵌合することによりハンドル軸７に対して回り止めされ、またビス１８によりハンドル軸７に結合される。環状突部１２ｂの後方端には、図１３，１４に示すように、シリンダ錠ユニット１０の胴部に嵌合する小判型の開口１２ｆを有する内側フランジ１２ｇが形成される。
【００２０】
ハンドル軸７の後部に螺合されたガイドビス１９が、内筒５に形成された前後方向のガイド溝５ｃ（図７）に係合しており、これによってハンドル軸７は内筒５に対して回転不能であって前後方向に摺動可能になっている。
【００２１】
この実施形態のポップアウト型扉用ロックハンドル装置は、扉１の前面側へ露出する部分が全て硬質材からなるハンドル板１２により覆われるので、破壊に対する防御性能が高く、しかも扉１の前面側へ大きく露出する従来のハンドルが省略され、またこの大きなハンドルを受けるハンドルケースの鍔部も縮小され、小型化による低コスト化が可能となる。
【符号の説明】
【００２２】
１    扉
２    ハンドルケース
３    軸筒部
４    鍔部
５    内筒
６    錠止部材
７    ハンドル軸
８    バネ部材
９    施錠機構
１０  錠前ユニット
１０ａ  外周螺子部
１０ｂ  平面部
１１  ロータ
１２  ハンドル板
１２ａ  開口
１２ｂ  環状突部
１２ｃ  凹部
１２ｄ  起立縁部
１２ｅ  外側突出部
１２ｆ  小判型開口
１２ｇ  内側フランジ
１３  止め板
１４  蓋板
１５  固定リング
１６  固定金具
１６ａ  脚部
１６ｂ  当接面
１７  ビス
１８  ビス
１９  ガイドビス
【図１】
2014227672.tif 000003
【図２】
2014227672.tif 000004
【図３】
2014227672.tif 000005
【図４】
2014227672.tif 000006
【図５】
2014227672.tif 000007
【図６】
2014227672.tif 000008
【図７】
2014227672.tif 000009
【図８】
2014227672.tif 000010
【図９】
2014227672.tif 000011
【図１０】
2014227672.tif 000012
【図１１】
2014227672.tif 000013
【図１２】
2014227672.tif 000014
【図１３】
2014227672.tif 000015
【図１４】
2014227672.tif 000016
【図１５】
2014227672.tif 000017
【図１６】
2014227672.tif 000018
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
前後方向に延びる軸筒部と、この軸筒部の前端部に設けられる鍔部とを具備し、鍔部を筐体の扉の前面に当接させて当該扉に固着されるハンドルケースと、
前記ハンドルケースの軸筒部内に回転可能かつ前後に移動不能に嵌挿される内筒と、
前記内筒の後端部に連結され、扉を筐体に対して錠止する施錠位置と解放する解錠位置との間で内筒と一体に正逆回転する錠止部材と、
前記内筒に回転不能に嵌挿され、前記ハンドルケース内に没する後方位置とハンドルケースから突出する前方位置との間で前後に摺動自在で、前方位置において前記内筒と一体に施錠位置と解錠位置との間を回転操作可能な概略円筒状のハンドル軸と、
前記内筒と前記ハンドル軸との間に挿入され、前記ハンドル軸を前方に付勢するばね部材と、
前記ハンドル軸の後部に設けられ、後方位置にあるハンドル軸を前記内筒に対して拘束し、又は解放する施錠機構と、
前記ハンドル軸の前部に組み込み固定され、キー操作によるロータの回転によって前記施錠機構を拘束又は解放動作させるように直接又は間接的に駆動する錠前ユニットと、
前記ハンドル軸の前端に固着され、前記錠前ユニットの前端部を露出させる開口を有し、ハンドル軸が後方位置にあるとき前記ハンドルケースの鍔部の前面を覆う硬質材からなるハンドル板と、を具備し、
扉への装着状態において、扉の前面側に前記硬質材からなるハンドル板のみが露出するように構成されることを特徴とするポップアウト型扉用ロックハンドル装置。
【請求項２】
前記ハンドル板は、前記ハンドルケースの鍔部の前面よりわずかに大面積に構成され、前記ハンドル軸が後方位置にあるとき鍔部を嵌合させて鍔部の前面を覆う凹部と、この鍔部の外周を囲む起立縁部とを具備することを特徴とする請求項１に記載のポップアウト型扉用ロックハンドル装置。
【請求項３】
前記ハンドル板は、前記開口の周縁から後方へ突出して前記ハンドル軸の前端側の内周に嵌合する環状突部を具備し、この環状突部において、ハンドル軸の前端部に結合されることを特徴とする請求項１又は２に記載のポップアウト型扉用ロックハンドル装置。